(57)【特許請求の範囲】
【請求項１】
宝石用原石のバッチから宝石用原石を分類するための装置であって、当該装置は、
それぞれが宝石用原石の１つ又は複数の特性を測定するように構成された少なくとも１つの測定装置を含む、１つ又は複数の測定位置と、
前記宝石用原石をその上に支持し、前記宝石用原石を前記１つ又は複数の測定位置に運ぶための連続的な可動面と、
前記宝石用原石が前記可動面上を前記１つ又は複数の測定位置に運ばれるときに前記宝石用原石を互いに離すための分離装置と、
センサ位置にセンサを含み、前記宝石用原石がいつ前記センサ位置を通過するかを識別するための位置トリガと、
前記位置トリガから信号を受信し、該信号を受信したときに前記可動面の位置を記録し、前記可動面の動きを監視することによって前記宝石用原石の後続位置を追跡するための制御装置であって、各宝石用原石の前記１つ又は複数の特性の測定値を、前記可動面上のそれぞれの宝石用原石の位置と相関させることができる、制御装置と、を含む
装置。
【請求項２】
前記宝石用原石が前記分離装置に運ばれるときに前記宝石用原石を向き合わせるための向合せ装置をさらに含み、前記宝石用原石は、互いに離される前に、それら宝石用原石の最も安定した形状に向き合わせされる、請求項１に記載の装置。
【請求項３】
各測定装置は、前記宝石用原石が前記可動面上の前記測定位置を通って移動するときに前記宝石用原石の前記１つ又は複数の特性を測定するように構成される、請求項１又は２に記載の装置。
【請求項４】
前記分離装置は、前記可動面の上であって該可動面に近接して位置する一連のカム面を含み、各カム面は前記可動面の進行方向に対して傾斜しており、前記宝石用原石は、一連の連続するカムによって最初の移動ラインからさらに遠くへ連続的に押し出される、請求項１乃至３のいずれか一項に記載の装置。
【請求項５】
前記可動面は回転可能なディスクを含む、請求項１乃至４のいずれか一項に記載の装置。
【請求項６】
前記可動面は黒色（dark）面を有する、請求項１乃至５のいずれか一項に記載の装置。
【請求項７】
複数の分配位置をさらに含み、各位置には収集箱及び関連する分配機構が含まれる、請求項１乃至６のいずれか一項に記載の装置。
【請求項８】
前記関連する分配機構は、押し棒及びスパイク付き発泡性ホイールのうちの一方を含む、請求項７に記載の装置。
【請求項９】
向合せ装置は、略半円形チャネルを形成する一対の対向する平行な垂直壁を含み、該一対の壁は、前記一対の壁の中央部分が前記宝石用原石の進行方向を略横切る方向に振動するように、振動子によって振動される、請求項２乃至８のいずれか一項に記載の装置。
【請求項１０】
２つの測定位置を含む、請求項１乃至９のいずれか一項に記載の装置。
【請求項１１】
第１の測定位置が、ＵＶ源による励起の後に前記宝石用原石によって放出されたルミネセンスを測定するように構成された第１の測定装置を含む、請求項１０に記載の装置。
【請求項１２】
前記第１の測定装置は、前記ＵＶ源による励起のパルスに続く複数の異なる時間窓におけるルミネセンスを測定するように構成される、請求項１１に記載の装置。
【請求項１３】
前記異なる時間窓は、
蛍光を測定するために、前記パルスの開始及び終了と同期している窓、
高速燐光を測定するために、前記パルスの終わりに開き、約８０ミリ秒（ｍｓ）後に閉じる窓、及び
低速燐光を測定するために、前記パルスの終了後に約８０ｍｓ開き、その後のパルスの前に閉じる窓のうちの１つ又は複数を含む、請求項１２に記載の装置。
【請求項１４】
前記第１の測定装置は、前記ルミネセンスの波長を測定するように構成される、請求項１１、１２又は１３に記載の装置。
【請求項１５】
第２の測定位置には、レーザー励起の後に前記宝石用原石によって放出されたフォトルミネセンスを測定するように構成された測定装置が含まれる、請求項１１乃至１４のいずれか一項に記載の装置。
【請求項１６】
前記宝石用原石のバッチを受け取って回転可能なディスクの表面上に送り出するように構成されたホッパーをさらに有する、請求項５乃至１５のいずれか一項に記載の装置。
【請求項１７】
前記宝石用原石は、回転可能なディスクの内側領域上に送り出され、その後、それら宝石用原石の測定された特性に従って、前記回転可能なディスクの最外領域に隣接して配置された収集箱内に分配される、請求項５乃至１６のいずれか一項に記載の装置。
【請求項１８】
宝石用原石のバッチから宝石用原石を分類する方法であって、当該方法は、
連続的な可動面上の１つ又は複数の測定位置に宝石用原石を運ぶステップと、
前記宝石用原石が前記可動面上を前記１つ又は複数の測定位置に運ばれるときに前記宝石用原石を互いに離すステップと、
前記宝石用原石が離された後に、宝石用原石がセンサ位置を通過する各瞬間を識別し、その宝石用原石をその瞬間の前記可動面の位置と関連付け、且つ前記可動面の動きを監視することによって前記宝石用原石の後続位置を追跡するステップと、
前記１つ又は複数の測定位置において前記宝石用原石の１つ又は複数の特性を測定するステップと、
各宝石用原石の前記１つ又は複数の特性の各測定値を前記可動面上のそれぞれの宝石用原石の位置と相関させるステップと、を含む、
方法。
【請求項１９】
前記１つ又は複数の特性は、前記宝石用原石のルミネセンス特性及び／又はフォトルミネセンス特性における１つ又は複数の特異的マーカーを含む、請求項１８に記載の方法。
【請求項２０】
前記１つ又は複数の特異的マーカーのうちの１つが、約４５０ナノメートル（ｎｍ）をピークとする波長帯でのルミネセンス及び約８０ｍｓ未満の減衰時間を含む青色の高速燐光マーカーであり、該青色の高速燐光マーカーの試験には、励起パルスの終了時又は終了後に開始し、且つ関連する前記励起パルスの終了後に約８０ｍｓで終了する時間窓において、約４５０ｎｍをピークとするルミネセンス帯について試験することが含まれる、請求項１９に記載の方法。
【請求項２１】
前記１つ又は複数のマーカーのうちの１つが、約４８０ｎｍをピークとする波長を有するルミネセンス及び８０ｍｓを超える減衰時間を含む青緑色の低速燐光マーカーであり、前記青緑色の低速燐光マーカーの試験には、関連する励起パルスの終了後に約８０ｍｓ開く時間窓において、４８０ｎｍ付近を中心とするルミネセンス帯について試験することが含まれ、前記時間窓は、前記関連する励起パルスの終了後に約５００ｍｓで随意に閉じる、請求項１９又は２０に記載の方法。
【請求項２２】
前記１つ又は複数のマーカーのうちの１つが、約５１０ｎｍの波長を有する薄緑色の蛍光マーカーであり、該薄緑色の蛍光マーカーについての試験には、励起パルスと同期した時間窓間で試験することが含まれる、請求項１９乃至２１のいずれか一項に記載の方法。
【請求項２３】
前記１つ又は複数のマーカーのうちの１つが、前記宝石用原石のフォトルミネセンス・スペクトルの１３３２ｃｍ−１付近を中心とする単一ラマン線である、請求項１９乃至２２のいずれか一項に記載の方法。
【請求項２４】
１３３２ｃｍ−１のラマン線が存在しない場合に、宝石を模造品として識別するステップを含む、請求項２３に記載の方法。
【請求項２５】
１３３２ｃｍ−１のラマン線が存在し、且つ青色の高速燐光マーカーが存在する場合、又は、
青色の高速燐光マーカーが存在せず、青緑色の低速燐光マーカーが存在し、薄緑色の蛍光が存在せず、７９３ｎｍにより強い線がない状態の７８７ｎｍ付近のフォトルミネセンス・マーカーが存在する場合、又は、
青色の高速燐光マーカーが存在せず、青緑色の低速燐光マーカーが存在せず、且つ７８７ｎｍ付近のフォトルミネセンス・マーカーが存在する場合に、
宝石を天然ダイヤモンドとして識別するステップを含む、請求項１９乃至２４のいずれか一項に記載の方法。
【請求項２６】
１３３２ｃｍ−１のラマン線が存在し、青色の高速燐光マーカーが存在せず、青緑色の低速燐光マーカーが存在し、且つ薄緑色の蛍光が存在する場合に、宝石をＨＰＨＴ合成品として識別するステップを含む、請求項１９乃至２５のいずれか一項に記載の方法。
【請求項２７】
１３３２ｃｍ−１のラマン線が存在し、且つ
青色の高速燐光マーカーが存在せず、青緑色の低速燐光マーカーが存在し、薄緑色の蛍光マーカーが存在せず、７８７ｎｍ付近のフォトルミネセンス・マーカーが存在しない場合に、又は、
青色の高速燐光マーカーが存在せず、青緑色の低速燐光マーカーが存在せず、７８７ｎｍ付近のフォトルミネセンス・マーカーが存在しない場合に、
更なる試験のために宝石を照会するステップを含む、請求項１９乃至２６のいずれか一項に記載の方法。
【発明の詳細な説明】
【技術分野】
【０００１】
本発明は、宝石用原石（gemstones）を分類するための方法及び装置に関する。具体的には、排他的ではないが、本発明は、ダイヤモンドを分類するための方法及び装置に関する。
【背景技術】
【０００２】
天然ダイヤモンドは、長期間に亘って地質学的プロセスによって形成された専らダイヤモンドから構成される、天然由来の宝石である。合成ダイヤモンドは、ＨＰＨＴ（高圧高温）及びＣＶＤ（化学気相成長）等の工業プロセスで製造された人造石である。
【０００３】
合成ダイヤモンドは、広範な産業用途を有するが、現在宝石用原石業界のほんのわずかな割合しか占めておらず、同様の色及び品質の天然ダイヤモンドに関連するような高い価値を引き付けるには至っていない。合成ダイヤモンドは、未研磨の状態では天然ダイヤモンドとの区別が比較的容易であり得るが、一旦研磨して宝石用原石にカットすると、その石が合成品であることを識別することがより困難になり得る。
【０００４】
DiamondSure（登録商標）やDiamondView（登録商標）等の高度なスクリーニング機器を使用して、石が天然であるか合成であるかを試験することができる。典型的には、そのようなスクリーニングには、光がダイヤモンドによって吸収されるか又は光がダイヤモンドから放出される方法を測定することが挙げられる。スクリーニングを開始する前に、通常、試験対象の石を測定面又はホルダー上の正確な位置に「テーブルダウン（table-down：テーブル・ファセットを下にして）」して設置する必要がある。これに関連して、「テーブル」はクラウンの最大中央ファセット（取り付け時の石の上半分）である。
【０００５】
より大きな個々の石をスクリーニングすることに加えて、時にはメレー（melee）として知られる石を含む多数のより小さなダイヤモンドをスクリーニングすることも必要である。メレーは明確に規定されたサイズ範囲を有していない取引の用語であるが、実際には約０．２カラット（２０ポイント）よりも小さく、通常（必ずしもそうとは限らないが）約０．０１又は０．０２カラットより大きい石を指すと考えることができる。サイズが小さいため、メレー石は通常パーセル（parcel）又はロットで販売されている。１つのパーセルに何百もの石が含まれている可能性があるため、合成ダイヤモンドや非ダイヤモンド素材を天然石と混在させることが可能である。
【０００６】
各石を個別に試験しなければならず、従って個別に正しい向きに配置する必要があるため、メレー・ダイヤモンドのスクリーニングは潜在的に非常に時間がかかる可能性がある。特許文献１は、宝石用原石を向き合わせるための装置を開示しており、そこでは、一対の対向する振動壁を有する移動経路上に別々の宝石用原石が設けられている。これらの壁は宝石用原石が経路に沿って進むにつれて宝石用原石を最も安定した向き（すなわち、テーブルダウン）になるように仕向ける。一旦この向きになると、個々の石は真空式棒によって移動経路から持ち上げられ、試験ステーションに運ばれ得る。
【０００７】
図１は、特許文献１に記載された宝石用原石を向き合わせるための装置１の図である。メレー石がホッパー２内に注がれ、一対のローラー６を通過する。ローラー６の速度は、それらローラーが一度に１つの石を通過させるように石を離すように構成される。次に、図２に示されるように、石は回転するディスク１０上に向けられる。ディスク１０は時計回りに回転し、且つ円形の移動経路を提供し、石を撹拌器（agitator）１３に通す。撹拌器１３は、半円形チャネル１２を形成する一対の対向する平行な垂直壁１１を含む。壁１１は、それら壁１１が移動経路上の石と衝突するのに十分な大きさ及び周波数で壁を振動させる振動子１５に接続されている。一対の壁１４の中心は、回転するディスク１０の半径に沿って振動する。
【０００８】
壁１１の衝撃レベルは、そのパビリオン・ファセット状態の石を叩き落とすのに十分であるが、その最も安定したテーブル・ファセット状態の石を叩き落とすのに十分ではないように選択される。結局、石はテーブルダウン状態になり、ハンドリングエリア７に到達するまでに整列される。向き確認装置９が、カメラ１６を用いて石の側面のシルエット画像を記録することにより、各石がテーブルダウン状態であることをチェックする。石が正しい向きに向けられていることが分かった場合に、その石は揺動アーム３及び真空棒４を含むハンドラーによって集められ、そして合成品検出装置１７に運ばれる。石が間違った向きに向けられていることが分かった場合に、その石は向きを変えるために振動チャネル１２に戻されるだろう。このプロセスは、全てのメレーの石が向き合わせされ、試験され、且つシュート８を介して適切な収集箱５に分配されるまで続けられる。
【０００９】
図１の装置は、向合せ及び試験処理をスピードアップするが、向き合わされた石が真空棒４によって拾い上げられる準備が整う度にディスク１０の回転を停止させることが依然として必要である。さらに、従来の試験装置及び方法は、石を天然又は合成として決定的に識別し損なうことが多い。最終的な識別が不可能な場合には、更なる試験のために石を「照会」しなければならない。更なる試験は、典型的には、フォトルミネセンス又はラマン分光法及び／又は１つ又は複数の異なる装置等のより複雑な方法の使用を必要とする。宝石用原石が非常に小さいために、更なる試験は経済的に実行可能でないことがある。特許文献２は、ラマン分光法を使用して回転するガラス製ディスク上のダイヤモンド材料と非ダイヤモンド材料とを区別し、続いてダイヤモンド材料を含むものとして通過した石に対してＵＶ透過強度の測定を行うことによってこの問題に対処するように試みるシステムを記載している。
【先行技術文献】
【特許文献】
【００１０】
【特許文献１】国際公開第２０１２／１４６９１３号
【特許文献２】国際公開第２０１５／０２４９７９号
【発明の概要】
【００１１】
本発明の一態様によれば、宝石用原石のバッチから宝石用原石を分類するための装置が提供される。装置は、それぞれが宝石用原石の１つ又は複数の特性を測定するように構成された少なくとも１つの測定装置を含む、１つ又は複数の測定位置を含む。連続的な可動面が、その上に宝石用原石を支持し、宝石用原石を１つ又は複数の測定位置に運ぶ。宝石用原石が可動面上を１つ又は複数の測定位置に運ばれるときに、分離装置が宝石用原石を互いに離す。センサ位置での位置トリガが、宝石用原石がいつセンサ位置を通過するかを識別するためのセンサを含む。制御装置が、位置トリガから信号を受信し、信号を受信したときに可動面の位置を記録し、可動面の動きを監視することによって宝石の後続位置を追跡し、それによって各宝石用原石の１つ又は複数の特性の測定値を可動面上のそれぞれの宝石用原石の位置と相関させることができる。宝石用原石のルミネセンス特性における特異的マーカーを用いて、宝石用原石の特性を識別することができる。
【００１２】
本発明の別の態様によれば、宝石用原石のバッチから宝石用原石を分類する方法が提供される。この方法は、連続的な可動面上の１つ又は複数の測定位置に宝石用原石を運ぶステップと；宝石用原石が可動面上を１つ又は複数の測定位置に運ばれるときに宝石用原石を互いに離すステップと；宝石用原石が離された後に、宝石用原石がセンサ位置を通過する各瞬間を識別し、その宝石用原石をその瞬間の可動面の位置と関連付け、可動面の動きを監視することによって宝石用原石の後続位置を追跡するステップと；１つ又は複数の測定位置において宝石用原石の１つ又は複数の特性を測定するステップと；各宝石用原石の１つ又は複数の特性の各測定値を可動面上のそれぞれの宝石用原石の位置と相関させるステップと；を含む。
【００１３】
１つ又は複数の特性は、宝石用原石のルミネセンス特性における１つ又は複数の特異的マーカーを含み得る。これらのマーカーは、ルミネセンスの波長及び減衰時間を含み得る。マーカーの特定の組合せは、石がダイヤモンド材料を含んでいるか否か、そして含まれている場合は、それが天然又は合成のいずれであるか、又は更なる試験を必要とするかについての指標を提供し得る。
更なる態様及び好ましい特徴は、請求項２以下に記載されている。
【図面の簡単な説明】
【００１４】
【図１】宝石用原石を向き合わせるための既知の装置の斜視図である。
【図２】明確にするために構成要素を取り除いた状態の、図１の装置の平面図である。
【図３】本発明による宝石用原石を向き合わせるための装置の斜視図である。
【図４】図３の装置の正面図である。
【図５】図３の装置の上面図である。
【図６】向合せ装置を示す、図３の装置の更なる上面図である。
【図７】宝石用原石のバッチの進行方向を示す、図３の装置の上面図である。
【図８】宝石用原石のバッチから宝石用原石を分類する方法を示すフローチャートである。
【発明を実施するための形態】
【００１５】
ここで図３〜図７を参照して、宝石用原石のバッチからダイヤモンド等の宝石用原石を分類するための装置１０１について説明する。分類される宝石用原石は、典型的に、ブリリアントカットとファンシーカットとの両方の、研磨された石を含む。バッチから宝石用原石を分類する方法について、図８を参照して説明する。
【００１６】
装置１０１は、それぞれが宝石用原石の１つ又は複数の特性を測定するように構成された少なくとも１つの測定装置を含む１つ又は複数の測定位置１１０ａ、１１０ｂと、宝石用原石をその上に支持し且つ宝石用原石を１つ又は複数の測定位置１１０ａ、１１０ｂに運ぶための可動面１０３とを含む。装置１０１は、宝石用原石が可動面１０３上を１つ又は複数の測定位置１１０ａ、１１０ｂに運ばれるときに宝石用原石を互いに離すための分離装置１０７、１０８をさらに含む。宝石用原石が離されると、各宝石用原石がレーザーカーテン１０９等の位置トリガを通過する。次に、可動面１０３上のその石の位置は既知であり、可動面１０３の動きを追跡することによってその石の後続位置を追跡することができる。これにより、１つ又は複数の測定位置１１０ａ、１１０ｂでの測定値を、可動面１０３上の宝石用原石の既知の位置と相関させることが可能になる。
【００１７】
図３〜図７の実施形態では、可動面は、宝石用原石を運ぶことができる略平坦な上面を有する回転可能なディスク１０３を含む。ディスク１０３は、運ばれる宝石用原石のサイズに応じて、約９°／秒〜１３．５°／秒の間の回転速度でモータ（ここでは図示せず）によって回転される。ディスク１０３の回転速度は、オプションでスクリーン１１７を含む制御装置によって制御することができる。
【００１８】
図３〜図７の図示の例では、回転可能なディスク１０３の表面は、５０ミクロンの公差内で平坦になるように製造される。以下でさらに議論するように、ディスク１０３はまた、ハードブラック（hard black）に陽極酸化処理されているので、長持ちし、且つ１つ又は複数の測定位置での測定を実質的に暗い（dark）環境で実行することができる。この目的のために、ディスク１０３には、ディスク１０３上を運ばれている宝石用原石を見ることができる観察ポートを規定するカバー１０４も設けられている。
【００１９】
図３に最もよく示されているように、装置１０１は、宝石用原石のバッチを受け取ってディスク１０３の中心近くの、回転可能なディスク１０３の表面に送り出すホッパー１０２を有する。ホッパー１０２は、図１及び２を参照して上述したタイプのホッパーであってもよい。ホッパー１０２は、回転可能なディスク１０３上への宝石用原石の流れを制御するために使用される２つの反対方向に回転する発泡性（foam）ローラー（ここでは図示せず）を含む。ローラーの速度は、制御装置によって制御され得、且つ分類されている宝石用原石の大きさ及び形によって変更することができる。この例では、ホッパー１０２は、約５００カラットの最小容量を有し、典型的には約０．３ポイント〜３０ポイントの間の宝石用原石に適している。
【００２０】
図３〜図７の実施形態では、そして図５に最もよく示されるように、装置１０１は、宝石用原石が回転可能なディスク１０３の中心部分に運ばれるにつれて、宝石用原石を向き合わせるための向合せ装置をさらに含み、宝石用原石は、互いに離される前に最も安定した形状（configuration）に向き合せされる。この例では、向合せ装置は、真空棒を有していないが、上記の図１及び図２を参照して説明したタイプの撹拌器１１３を有する。撹拌器１１３は、略半円形チャネル１１２を形成する一対の対向する平行な垂直壁１１１を含み、そのチャネル１１２内で宝石用原石は回転可能なディスク１０３によって案内される。
【００２１】
壁１１１は、一対の壁１１１の中央部分１１４が回転可能なディスク１０３の半径に沿って、すなわち宝石用原石の進行方向に対して略横切る方向に振動するように、振動子１１５によって振動させられる。一対の壁１１１の相対的な横方向の動きは、半円形チャネル１１２の入口部分及び出口部分において最小となり得ることが理解されよう。
【００２２】
壁１１１は、壁１１１が回転可能なディスク１０３の表面に存在する宝石用原石と衝突し、宝石用原石をそれらの最も安定した形状、すなわち宝石用原石の最も低い位置エネルギーの位置に入れ込むのに十分な大きさと周波数で振動する。大多数のカットした宝石用原石にとって、最も安定した形状はテーブル・ファセットダウンである。壁１１１の衝撃レベルは、宝石用原石がその最も安定したファセットで置かれたならば、再びひっくり返されず、その最も安定した配置に留まるように選択される。換言すれば、撹拌器１１３の衝撃レベルは、例えばそのパビリオン・ファセット状態の宝石用原石を叩き落とすのに十分であるが、そのテーブル・ファセット状態の宝石用原石を叩き落とすのに十分ではないように慎重に選択される。
【００２３】
振動壁１１１の長さは、全ての宝石用原石が撹拌器１１３を出るまでにそれら宝石用原石を最も安定した形状に向き合わせするように選択される。それらの最も安定した形状に向き合わせされた宝石用原石は、それら宝石用原石がより予測し易いように処理されるため、別離、測定、及び分配が容易である。
【００２４】
この実施形態の装置１０１は、宝石用原石が回転可能なディスク１０３上を１つ又は複数の測定位置１１０ａ、１１０ｂに運ばれるときに、宝石用原石を互いに離すための分離装置１０７、１０８を有する。図３〜図７に示される実施形態では、分離装置は、一連の固定式カム１０７と可動式カム１０８とを有する。宝石用原石は、ディスク１０３が回転するとカム１０７と接触する。固定式カム１０７は、宝石用原石が（ディスク１０３の中心領域よりも速く動く）ディスク１０３の外側領域に向けて押されるように、水平面の進行方向に対して傾斜している。こうして、これは、石同士の間の別離を速める。連続するカム１０７の表面は、回転可能なディスク１０３の水平面の進行方向に対して連続的に小さい角度で傾斜してもよく、及び／又はカム１０７は、石が可動面を横切って横方向に移動する速度を最適化するように湾曲面を含んでもよい。この例では、３つの固定式カム１０７が存在するが、必要に応じて、より少ない又は追加のカム１０７を使用してもよいことを理解されたい。
【００２５】
各カム１０７が宝石用原石を回転可能なディスク１０３の中心領域からさらに離れる方向に連続的に押すので、これは、回転可能なディスク１０３の中心からそれら宝石用原石の距離を増大させながら、ディスク１０３に対するそれら宝石用原石の平均角度位置が維持されるため、宝石用原石を互いに自然に離れさせる。
【００２６】
図３から図７の実施形態は、宝石用原石が固定式カム１０７を通過した後に宝石用原石が接触する可動式カム１０８をさらに含む。可動式カム１０８表面の角度は、分類される宝石用原石のサイズ及び形状に従って調整することができる。可動式カム１０８は、宝石用原石同士の間の最終的な別離を与えるために使用される。このようにして、宝石用原石が可動式カム１０８を通過すると、離された宝石用原石の流れが回転可能なディスク１０３の表面に供給される。この例では１つの可動式カム１０８のみが設けられているが、必要に応じて更なる可動式カムを設けてもよいことが理解されよう。さらに、固定式カムと可動式カムの順序を変えてもよい。
【００２７】
図５に示されるように、装置１０１は位置トリガ１０９も含む。これは石が離された後に通過するディスク１０３上のセンサ位置に配置され、それによってそれら石がディスク１０３上を移動し続けているときに、石が他のアイテムと接触しない。この実施形態では、位置トリガは、センサ位置にセンサ１０９、例えばレーザーカーテンを含む。制御装置１１７は、宝石用原石がセンサを通過する度にセンサから信号を受信するように構成される。センサを通るその宝石用原石の通過は、その瞬間のディスク１０３の角度位置と相関しており、各宝石用原石の位置は、その後、ディスク１０３の角度位置の知見によって追跡することができる。
【００２８】
装置１０１は、それぞれが宝石用原石の１つ又は複数の特性を測定するように構成された少なくとも１つの測定装置を含む、１つ又は複数の測定位置１１０ａ、１１０ｂをさらに含む。図３〜図７に示される実施形態では、以下でさらに詳細に説明するように、２つの測定位置１１０ａ、１１０ｂがある。各測定位置１１０ａ、１１０ｂは、測定装置又はセル（ここでは図示せず）を含む。離された宝石用原石は、ディスク１０３が回転するにつれて、一度に１つずつ測定位置１１０ａ、１１０ｂを通過する。各測定装置は、宝石用原石が通過するときに、個々の宝石用原石の特性を測定する（すなわち、宝石用原石が測定位置１１０ａ、１１０ｂに到達したときに回転可能なディスク１０３は停止せず、全ての測定は移動している宝石用原石に対して行われる）。これは、ディスク１０３が連続的に回転することができ、且つ石の位置とディスク１０３の角度位置との相関関係に依拠することができることを意味する。宝石用原石の特性の測定値は、測定装置から制御装置１１７に送信される。測定値の更なる詳細について以下で詳述する。
【００２９】
装置１０１は、図３、４及び５に示される例では収集箱１０５を含む複数の分配位置をさらに含む。この例では、５つの収集箱１０５であるが、箱１０５の数を必要に応じて増減してもよいことが理解されよう。押し棒又はスパイク付き発泡性ホイール等の分配機構１０６が、各収集箱１０５に関連付けられており、ソレノイド１１６を介して作動され、且つ回転可能なディスク１０３の外面から宝石用原石を押し出して宝石用原石を関連する収集箱１０５内に分配させるように構成される。図３、４、及び５に示される５つの収集箱１０５は、以下のように指定することができる。
１．非ダイヤモンド（模造品、例えば立方晶系ジルコニアからなる宝石用原石用の箱）
２．合成（ＣＶＤ又はＨＰＨＴによって成長したもののような合成ダイヤモンド用の箱）
３．合格（天然ダイヤモンド用の箱）
４.照会（特性が決定的に決定されていない宝石用原石用の箱）
５．パージ（装置から宝石用原石を素早く空にしたい場合に使用するための箱）。
【００３０】
収集箱１０５の上記の順序は、例としてのみ提供されており、他の指定及び順序が想定され得ることが理解されよう。
【００３１】
特定の宝石用原石がセンサ位置を通過する時間及びディスク１０３の回転速度が既知であるので、制御装置１１７は、特定の宝石がいつ１つ又は複数の測定位置１１０ａ、１１０ｂを通過するかを正確に予測することができる。従って、制御装置１１７が受信した特定の宝石用原石の１つ又は複数の特性の測定値は、制御装置１１７によって、回転可能なディスク１０３上の特定の宝石用原石の位置と相関させることができる。制御装置１１７は、受信した測定値に基づいて、特定の宝石用原石が天然ダイヤモンド、合成ダイヤモンド、又は非ダイヤモンドかどうかを判定することができる。特定の宝石用原石が適切な収集箱１０５に隣接する位置に到達すると、制御装置１１７は、適切な分配機構１０６を作動させて宝石用原石を正しい箱１０５内に分配する。
【００３２】
ここで図３〜図７の装置１０１の使用について説明する。宝石用原石のバッチがホッパー１０２内に置かれ、宝石用原石が、ホッパー１０２の発泡性ローラーを介して回転するディスク１０３の内側領域の表面上に個別に送り出される。ディスク１０３が回転すると、宝石用原石は、撹拌器１１３の半円形チャネル１１２内に導入され、ここで宝石用原石はテーブルダウンに向き合せされる。撹拌器１１３を離れると、宝石用原石は、回転するディスク１０３によって一連の固定式カム面１０７及び可動式カム面１０８と接触し、回転可能なディスク１０３の外側領域に向けて偏向され、そのプロセス中に互いに離される。こうして、離された宝石用原石の流れが、回転可能なディスク１０３によってセンサ位置に運ばれ、そこで個々の宝石用原石は一度に１つずつセンサ（レーザーカーテン）１０９を通過する。
【００３３】
次に、離された宝石用原石は、回転可能なディスク１０３によって２つの連続した測定位置１１０ａ、１１０ｂを通って運ばれ、それによって各宝石用原石の個々の異なる測定値が各位置１１０ａ、１１０ｂで取得される。これらの測定値は、制御装置１１７に送信され、それら測定値が関連する宝石用原石に関連付けられる。制御装置１１７は、測定された各宝石用原石の正確な位置を追跡し、適切な分配機構１０６を作動させて、測定された宝石用原石を適切な収集箱１０５内に分配する。適切な箱１０５は、宝石用原石の測定特性に基づいて制御装置１１７によって決定される。
【００３４】
こうして、図７に示されるように、ホッパー１０２によって回転するディスク１０３の内側領域に置かれた宝石用原石は、矢印Ａで示されるような移動経路を略辿り、最終的にディスク１０３の最も外側の領域に到達し、そこで収集箱１０５内に分配される。宝石用原石のバッチが回転可能なディスク１０３上に徐々に置かれるので、バッチからの宝石用原石の向き、別離、測定、及び分配が同時に行うことができることが理解されよう。換言すれば、バッチからディスク１０３上に置かれる最初の宝石用原石は、同じバッチからの後続の宝石用原石が向き合わせられ、離され、又は測定される際に分配され得る。このようにして、ディスク１０３の回転を停止させることなく、宝石用原石のバッチ全体を分類することができ、こうして、図３〜図７の装置１０１は、宝石用原石のバッチを１時間当たり少なくとも３，６００個の宝石用原石の概算速度で適切な収集箱１０５内に分類することができる。
【００３５】
制御装置１１７によって宝石用原石が誤って測定された、又は全く測定されなかったと判定される状況では、この宝石用原石は、箱１０５内に分配されず、代わりに回転するディスク１０３の表面上に残る可能性があることに留意されたい。次に、宝石用原石は、その宝石用原石が再びセンサ及び測定位置１１０ａ、１１０ｂを通過することができるように、ディスク１０３の適切な内側領域に戻るように偏向されることによって「リサイクル」され得る。
【００３６】
上述したように、図３〜図７の装置１０１は、それぞれが宝石用原石の１つ又は複数の特性を測定するように構成された少なくとも１つの測定装置を含む、２つの測定位置１１０ａ、１１０ｂを含む。離された宝石用原石は、一度に１つずつ測定位置１１０ａ、１１０ｂを通って回転可能なディスク１０３の可動面上に運ばれる。上述したように、測定位置１１０ａ、１１０ｂでの測定は実質的に暗い環境で行われる。
【００３７】
ディスク１０３上の宝石用原石はセンサ位置を通過した後に装置の他のどの部分とも接触しないので、各宝石用原石の位置は制御装置１１７によって正確に認識され、従って制御装置１１７は特定の宝石用原石がいつ２つの測定位置１１０ａ、１１０ｂのそれぞれに到達するかを正確に決定することができる。従って、各測定位置１１０ａ、１１０ｂで行われた測定値は、制御装置１１７によってそれら測定値が関連する特定の宝石用原石と関連付けることができる。さらに、行われた測定が宝石用原石との物理的接触を必要としないので、制御装置１１７は、特定の宝石用原石がいつ各収集箱１０５に到達するかを正確に決定することもできる。
【００３８】
この実施形態では、第１の測定位置１１０ａはルミネセンス測定セルを含む。ルミネセンス測定セルは、宝石用原石を励起するための実質的に２２５ナノメートル（ｎｍ）以下の波長の電磁放射線源（すなわち、紫外線又は紫外線ランプ）と、電磁放射線による励起時に宝石用原石によって放出されるあらゆる可視光を捕捉するための光検出装置又はカメラとを有する。
【００３９】
ＵＶランプ及びカメラの動作は、カメラに適用可能な任意のオフセット値を考慮に入れて、制御装置１１７によって同期される。この例で使用されるランプは、２２５ｎｍ未満の波長で上記ダイヤモンドバンドギャップ励起を与えるようにフィルタ処理された、Perkin Elmer FX-4402等のマイクロ秒キセノンスパークランプである。この例のカメラは、Sony IMX174等の相補型金属酸化膜半導体（CMOS）センサを使用する。回転可能なディスク１０３上の特定の宝石用原石の位置が制御装置１１７によって既知であるので、励起パルス及びカメラの動作は、ルミネセンス測定セル１１０ａの励起領域及び検出領域における特定の宝石用原石の到達と一致するようにトリガされ得る。
【００４０】
制御システム１１７によってカメラに遅延を設定して、ランプによって生成された励起パルスが終了した後に開始する時間窓の間にカメラが可視光のみを捕捉することができる。こうして、カメラは蛍光だけでなく燐光も捕捉することができる。大部分の場合に、蛍光減衰はここで使用される励起源の時間スケールよりも短い時間スケールであるので、蛍光は、宝石用原石の紫外線励起の間にのみ生じるものとして特徴付けられる一種のルミネセンスであることが理解されよう。その結果、励起中に生成された蛍光は、励起が終了すると非常に急速に減衰する。他方、燐光は励起が解かれると残るが、その後より長い時間スケールに亘って減衰する一種のルミネセンスである。燐光は、励起が終了した後しばらくの間持続することがあり、又は励起パルスの終了から数ミリ秒以内に減衰することがある。励起パルスが終了して蛍光が減衰するまで可視光の捕捉を遅らせるプロセスは、蛍光が「ゲートアウト（gate out）」され、励起パルスの終了後に放出される燐光を不明瞭にしないことを確実にする。宝石用原石によって放出された可視光を捕捉するための時間窓の終わりはまた、捕捉される蛍光及び／又は燐光の減衰時間を選択するために慎重に選択され得る。このようにして、装置は、そうでなければ見逃される可能性がある可視光放出を捕捉することができる。
【００４１】
宝石用原石のルミネセンス特性における特定の特異的マーカーを観察することによって宝石用原石が天然であるか又は合成であるかを判定する方法についてここで説明する。この方法は、宝石用原石に電磁放射線の複数の励起パルスを照射するステップと、各励起パルスの間及び／又はそれに続いて、励起パルスに対して予め規定された時間関係を有する少なくとも１つの時間窓においてダイヤモンドによって放出される光を検出してルミネセンスデータを取得するステップと、を含み得る。その又は各時間窓は、１つ又は複数のマーカーに特徴的な減衰時間を有するルミネセンスを含むように選択される。１つ又は複数のマーカーの有無を確定するために、全てのパルスに関連するルミネセンスデータを組み合わせて解析することができる。これらのパルス及び検出は全て、石が測定位置１１０ａを通過する際に行われる。
【００４２】
マーカーのうちの１つは、約４５０ｎｍをピークとする波長帯域でのルミネセンス及び約８０ミリ秒（ｍｓ）未満の減衰時間を含む青色の高速燐光マーカーであり得る。これに関する試験は、励起パルスの終了時又は終了後に開き且つ関連する励起パルスの終了後に約８０ミリ秒で終了する時間窓において、約４５０ｎｍをピークとするルミネセンス帯について試験することを含み得る。青色の高速燐光マーカーの存在は、ダイヤモンドが天然型ｌｌａ又はｌａダイヤモンドであることの指標となり得る。
【００４３】
マーカーのうちの１つは、約４８０ｎｍをピークとする波長を有するルミネセンス及び８０ミリ秒を超える減衰時間を含む青緑色の低速燐光マーカーであり得る。これに関する試験は、関連する励起パルスの終了後に約８０ミリ秒開く時間窓において、４８０ｎｍ付近を中心とするルミネセンス帯について試験することを含み得る。特に複数の励起パルスが使用される場合に、時間窓は関連する励起パルスの終了後に約５００ｍｓで閉じ得る。青緑色の低速燐光マーカーの存在は、ダイヤモンドがタイプｌｌｂのダイヤモンドであることの指標となり得る。
【００４４】
マーカーのうちの１つは、約５３０ｎｍ〜約５５０ｎｍの間の波長を有するルミネセンス及び８０ミリ秒を超える減衰時間を含む緑色の低速燐光マーカーであり得る。このマーカーに関する試験は、関連する励起パルスの終了後に約８０ミリ秒開く時間窓において、約５３０ｎｍ〜約５５０ｎｍの間のルミネセンス帯について試験することを含み得る。また、時間窓は、オプションで、関連する励起パルスの終了後に約５００ｍｓで閉じてもよい。緑色の低速燐光マーカーの存在は、ダイヤモンドを更なる試験のために照会すべきであることの指標となり得る。
【００４５】
マーカーのうちの１つは、励起パルスが終了した後に無視できるルミネセンスが検出される「不存在」マーカーであり得る。そのようなマーカーの存在は、ダイヤモンドを更なる試験のために照会すべきであるという指標である。
【００４６】
マーカーのうちの１つは、約５３５ｎｍ〜約６００ｎｍの間の波長を有するルミネセンス及び１ミリ秒未満の減衰時間を含むオレンジ色の長寿命蛍光マーカーであり得る。オレンジ色の長寿命蛍光マーカーの存在は、ダイヤモンドを更なる試験のために照会すべきであることの指標となり得る。
【００４７】
マーカーのうちの１つは、約５７５ｎｍ〜約６９０ｎｍの間の波長を有するルミネセンス及び１ミリ秒を超える減衰時間を含む赤色の燐光マーカーであり得る。赤色の燐光マーカーの存在は、ダイヤモンドを更なる試験のために照会すべきであることの指標となり得る。
【００４８】
マーカーのうちの１つは、約５１０ｎｍの波長を有する薄緑色の蛍光マーカーであり得る。薄緑色の蛍光マーカーに関する試験は、蛍光が宝石用原石の励起中にのみ生成され且つ励起が終了すると蛍光が非常に急速に減衰するため、励起パルスと同期した時間窓での試験を含み得る。前述したように、時間窓の終わりはパルスの終わりと一致するように慎重に選択されるので、宝石用原石の励起の終了後に放出される燐光（そうでなければ弱い蛍光の検出を不明瞭にする）は、ゲートアウトされる。薄緑色の蛍光マーカーの存在は、ダイヤモンドを更なる試験のために照会すべきであることの指標となり得る。
【００４９】
上記から、蛍光及び／又は燐光の測定並びに特定マーカーの存在によって、制御装置が特定の宝石用原石を天然型ｌｌａ、ｌａ、又はｌｌｂダイヤモンドとして識別するのを可能にし得ることが理解されよう。しかしながら、例えば緑色の低速燐光マーカーの存在又は「不存在」マーカーは、宝石用原石の識別を行うことを可能にせず、更なる情報がなければ、ＵＶ励起時に緑色の低速燐光マーカー又は「不存在」マーカーを生成する任意の宝石用原石は、代わりの装置を用いた更なる試験のために「照会する」必要があるだろう。
【００５０】
有利には、図３〜図７の装置は、宝石用原石の１つ又は複数の特性を測定するように構成された第２の測定位置１１０ｂを含む。この実施形態では、第２の測定位置１１０ｂはフォトルミネセンス（ＰＬ）測定セルを含む。
【００５１】
回転可能なディスク１０３の表面上のＰＬ測定セルを通過する宝石用原石は、垂直から４１°の角度で直径３ｍｍのビームで４５０ｎｍ付近のレーザー励起を受ける。ＰＬの検出は、垂直から０°の単レンズ系を用いて直径３ｍｍの測定領域に亘って小型分光計を使用して行われる。回転可能なディスク１０３上の宝石用原石の位置は、制御装置１１７によって正確に認識されており、従って、宝石用原石がＰＬ測定セルに入るときにＰＬ測定をトリガするために使用される。励起レーザー、分光計、及び集光光学系は、約１５０ミリ秒の時間枠内で動いている宝石用原石から高品質（高ＳＮ比）のＰＬスペクトルを取得できるように最適化されている（宝石用原石は直径３ｍｍのＰＬ測定領域を通過するのに約１５０ミリ秒かかる）。
【００５２】
ＰＬスペクトルが取得されると、そのスペクトルは制御装置１１７に送信され解析される。ラマン線の存在及び／又はＮｉ関連ＰＬ特徴の検出に基づいて、試験中の宝石用原石に関する決定が行われ、宝石用原石が識別される。第１の測定位置１１０ａと第２の測定位置１１０ｂとの両方から受信した試験中の宝石用原石の結果に基づいて決定を行うことができ、従って、宝石用原石が両方の測定位置１１０ａ、１１０ｂを通過するまで決定を行うことができない。
【００５３】
１３３２ｃｍ−１付近に中心がある鋭い単一ラマン線のスペクトルの存在は、試験中の宝石用原石がダイヤモンド材料を含有し、従って模造品ではない、すなわち宝石用原石がダイヤモンド以外の物質から構成されないことの指標である。７９３ｎｍにより強い特徴がない場合の７８７ｎｍ付近のＮｉ関連ＰＬ特徴のスペクトルの存在は、試験中の宝石用原石が天然ダイヤモンド、すなわち合成ダイヤモンドではないことの指標である。１３３２ｃｍ−１付近の鋭い単一ラマン線と、７９３ｎｍではなく７８７ｎｍのＮｉ関連ＰＬ特徴との両方の存在は、試験中の宝石が天然ダイヤモンドであることの指標である。対照的に、１３３２ｃｍ−１付近にラマン線が存在しないことは、試験中の宝石用原石が非ダイヤモンドであるの指標である。制御装置１１７によって使用される検出アルゴリズムは、離された宝石用原石の流れの中の次の宝石用原石がＰＬ測定領域に入る前に決定を行う。
【００５４】
従って、第１の測定位置１１０ａ、すなわちルミネセンス測定セルでの試験中に緑色の低速燐光を示した宝石用原石は、第２の測定位置１１０ｂ、すなわちＰＬ測定セルでの試験後に天然ダイヤモンド又は合成ダイヤモンドとして識別することができる。上述したように、この能力がなければ、緑色の燐光を示す天然ダイヤモンドは、誤って合成ダイヤモンドとして分類されるか、又は更なる装置による更なる試験のために「照会」され、より高い「照会」率を生じさせ得る。
【００５５】
従って、図３〜図７の装置１０１は、宝石用原石を識別するために２つの測定位置１１０ａ、１１０ｂで検出された異なるマーカーの組合せを利用することができ、こうして別の装置によって識別するために更なる試験を必要とするバッチ内の宝石用原石の数を大幅に減らすことができる。両方の測定位置１１０ａ、１１０ｂを通過した後に依然として信頼性をもって識別されていない宝石用原石は、典型的に、「照会」と指定された収集箱１０５内に分配される。そのような宝石用原石はその後更なる試験を受け得る。
【００５６】
表１は、図３〜図７に示された装置１０１の２つの測定位置１１０ａ、１１０ｂで検出された異なるマーカーの組合せが特定の宝石用原石を識別するためにどのように使用され得るかを示す。次に、石は適切な収集箱１０５内に分配され得る。
【００５７】
左から始めて、表１の第１列の内容（ラマン）は、１３３２ｃｍ−１付近を中心とする鋭い単一ラマン線がＰＬスペクトルに存在する（１３３２）か、又は存在しない（非１３３２）ことを示す。上述したように、この例では、ＰＬスペクトルは第２の測定位置１１０ｂで取得される。
【００５８】
表１の第２列及び第３列の内容（Ｐｈｏｓ１、Ｐｈｏｓ２）は、上述した特定の燐光マーカーが存在するか存在しないかを示す。上述したように、この例では、燐光が第１の測定位置１１０ａで測定される。第２列（Ｐｈｏｓ１）の「青」及び「非青」はそれぞれ、約４５０ｎｍをピークとする波長帯でのルミネセンス及び関連する励起パルスの終了後に約８０ｍｓ未満の減衰時間を含む青色の高速燐光マーカーの存在及び不存在を示す。第３列（Ｐｈｏｓ２）は、約８０ｍｓより長い減衰時間を有する低速燐光の存在及び色を示す。第３列の「青緑色」は、上述したように、この低速燐光マーカーが、約４８０ｎｍをピークとする波長を有するルミネセンス及び関連する励起パルスの終了後に８０ｍｓを超える減衰時間を含むことを示す。第３列の「非青緑色」は、青緑色の低速燐光マーカーが存在しないことを示す。これら２つのマーカーに関する試験は、２つの別々の時間窓（すなわち、励起パルスの終了後に８０ｍｓ未満の窓及び励起パルスの終了後に８０ｍｓを超える窓）で燐光に関して試験することを含む。
【００５９】
表１の第４列の内容（蛍光）は、約５１０ｎｍの波長を有する上述した薄緑色の蛍光マーカーが存在するか（薄緑色）又は存在しないか（非薄緑色）を示す。薄緑色の蛍光マーカーに関する試験は、励起パルスと同期した時間窓における試験、すなわち宝石用原石の励起中のマーカーに関する試験を含み得る。上述したように、この例では、蛍光は第１の測定位置１１０ａで測定される。
【００６０】
表１の第５列の内容（ＰＬ）は、特定のＮｉ関連ＰＬ特徴がＰＬスペクトルに（より強い７９３ｎｍの特徴がない場合の７８７ｎｍの特徴が）存在するか否かを示す。上述したように、この例では、ＰＬスペクトルは第２の測定位置１１０ｂにおいて取得される。
【００６１】
任意の列のダッシュ（−）は、任意の結果が可能であり、この測定値を無視すべきであることを意味する。例えば、表１の第１行に示されるように、１３３２ｃｍ−１付近を中心とする鋭い単一ラマン線がＰＬスペクトルに存在しない場合に（非１３３２）、他のどのマーカーが存在しているか否かにかかわらず、試験中の宝石用原石を模造品（すなわち、立方晶系ジルコニア等の非ダイヤモンド）として識別することができる。
【００６２】
【表１】
0006941184.tif 000002
【００６３】
表１から分かるように、大部分の宝石用原石は、天然ダイヤモンド、模造品（すなわち、非ダイヤモンド）、又はＨＰＨＴ合成品として識別されるであろう。極少数のケースで宝石用原石が更なる試験のために照会されるであろう。例えば、表１の第６行に示されるように、ＰＬスペクトルにおける１３３２ｃｍ−１付近のラマン線と青緑色の低速燐光マーカーとの両方が存在するが、青色の高速燐光マーカー、薄緑色の蛍光マーカー、及びＰＬスペクトルの７８７ｎｍにおけるＮｉ関連ＰＬ特徴が全て存在しない場合は、試験中の宝石用原石は「照会」収集箱に分配されるであろう。
【００６４】
図８を参照して、宝石用原石のバッチから宝石用原石を分類する方法は、以下のステップを含む。
ステップ１：連続的な可動面上の１つ又は複数の測定位置に宝石用原石を運ぶ。
ステップ２：宝石用原石が可動面上を１つ又は複数の測定位置に運ばれるときに宝石用原石を互いに離す。
ステップ３：宝石用原石を離した後に、宝石用原石がセンサ位置を通過する各瞬間を識別し、その宝石用原石をその瞬間の可動面の位置と関連付け、且つ可動面の動きを監視することによって宝石用原石の後続位置を追跡する。
ステップ４：１つ又は複数の測定位置において宝石用原石の１つ又は複数の特性を測定する。
ステップ５：各宝石用原石の１つ又は複数の特性の各測定値を可動面上のそれぞれの宝石用原石の位置と相関させる。
【００６５】
当業者であれば、本発明の範囲から逸脱することなく、上述した実施形態に様々な修正を加えることができることを理解するであろう。例えば、上述した実施形態は２つの測定位置１１０ａ、１１０ｂを含むが、他の実施形態は、それぞれが宝石用原石の１つ又は複数の特性を測定する、３つ以上の測定位置を含むことができる。あるいはまた、宝石用原石の２つ以上の特性の測定を単一の測定位置で実施してもよい。
【００６６】
さらに、上記の表１は、２つの別々の時間窓における燐光マーカーに関する試験を例示しているが、上述したように、更なる時間窓を利用して１つ又は複数の更なる燐光マーカーに関して試験してもよい。
【００６７】
さらに、たとえ測定値が異なる機器を使用して取得されたとしても、上で識別されたマーカーは宝石用原石のタイプの指標として使用してもよいことが理解されよう。
【図１】
0006941184.tif 000003
【図２】
0006941184.tif 000004
【図３】
0006941184.tif 000005
【図４】
0006941184.tif 000006
【図５】
0006941184.tif 000007
【図６】
0006941184.tif 000008
【図７】
0006941184.tif 000009
【図８】
0006941184.tif 000010